(57)【要約】【課題】傾斜面等の無駄な領域を形成することなく、ストッパー部の起立状態を維持することができる棚板及びこれを含む陳列棚を提供すること。【解決手段】棚板５０は、棚本体部５５と、その棚本体部５５の前端部に設けられたストッパー部７０と、ストッパー部７０を支持する支持部６５とを備える。ストッパー部７０は、棚本体部５５の上面５５ａ及び下面５５ｂから両方向に起立する構造を有する。支持部６５が設けられることにより、ストッパー部７０の起立状態を維持することができる。これにより、商品の落下防止の機能を向上させることができる。また、ストッパー部７０の起立状態を維持できるので、傾斜面等の無駄な領域を形成することもない。【選択図】図５
2015039402.tif 000002
【特許請求の範囲】
【請求項１】
端部領域を有する少なくとも１枚の板体を備える棚板であって、
上面と、前記上面の反対側の下面とを有する棚本体部と、
前記棚本体部の端部に設けられ、前記上面側及び前記下面側の両側で前記棚本体部から起立するように、前記板体の端部領域が折られて形成されたストッパー部と、
前記上面及び前記下面のうち少なくとも一方に設けられ、前記ストッパー部を支持する支持部と
を備える棚板。
【請求項２】
請求項１に記載の棚板であって、
前記板体は、前記端部領域の縁から所定の距離に設けられた折線で前記板体が折られて形成された、前記ストッパー部を構成する板部本体を有し、
前記板部本体は、突起部を有し、
前記突起部は、前記折線が不連続に形成されるように、前記折線の位置から前記棚本体部側へ前記板体を切り欠く切り込み線で区画された突出領域である
棚板。
【請求項３】
請求項２に記載の棚板であって、
前記ストッパー部は、前記板部本体を覆うように前記板部本体の正面に貼着されたカバー板部を有する
棚板。
【請求項４】
請求項２に記載の棚板であって、
前記支持部は、前記突起部に当接して前記ストッパー部を支持する
棚板。
【請求項５】
請求項１に記載の棚板であって、
前記板体は、
前記端部領域の縁から第１の距離の位置に設けられた第１の折線で前記板体が折られて形成される第１の板部と、
前記第１の折線から前記第１の距離より短い第２の距離の位置に設けられた第２の折線で折られることで、前記第１の板部及び棚本体部との間に形成される第２の板部とを有し、
前記ストッパー部は、前記第１の板部及び前記第２の板部が貼着されて構成される部位を有する
棚板。
【請求項６】
請求項５に記載の棚板であって、
前記ストッパー部は、前記第２の板部に設けられた突起部を有し、
前記突起部は、前記第２の折線が不連続に形成されるように、前記第２の折線の位置から前記棚本体部側へ前記板体を切り欠く切り込み線で区画された突出領域である
棚板。
【請求項７】
請求項６に記載の棚板であって、
前記支持部は、前記突起部及び前記第１の板部のうち少なくとも一方に当接して前記ストッパー部を支持する
棚板。
【請求項８】
請求項７に記載の棚板であって、
前記支持部は、前記突起部及び前記第１の板部に当接するようにステップ形状を有する
棚板。
【請求項９】
請求項６に記載の棚板であって、
前記第１の板部は、前記端部領域の縁から前記板体の複数箇所が切り欠かれて形成された突起部を有し、
前記第１の板部及び前記第２の板部が貼着された状態で、前記第１の板部の突起部は、少なくとも前記第２の板部の突起部を覆うように設けられる
棚板。
【請求項１０】
請求項１から９のうちいずれか１項に記載の棚板であって、
前記少なくとも１枚の板体は２枚の板体を含み、
前記２枚の板体は、
前記棚本体部を有する主板体と、
前記ストッパー部を構成し、前記主板体の端部に貼着されたストッパー板体とで構成される
棚板。
【請求項１１】
請求項１０に記載の棚板であって、
前記少なくとも１枚の板体は、前記支持部を有する支持板をさらに含み、前記支持板は、前記棚本体部の前記上面及び前記下面のうち少なくとも一方に貼着されている
棚板。
【請求項１２】
請求項５に記載の棚板であって、
前記少なくとも１枚の板体は、前記棚本体部を有する第１の段ボール紙を含み、
前記第１の段ボール紙は、前記第１及び前記第２の折線に沿う第１の方向の段目を有する
棚板。
【請求項１３】
請求項１２に記載の棚板であって、
前記少なくとも１枚の板体は、前記ストッパー部を構成する第２の段ボール紙をさらに含み、
前記第２の段ボール紙は、前記第１の方向に直交する第２の方向の段目を有し、前記第１の段ボール紙の端部に貼着されている
棚板。
【請求項１４】
請求項１から９のうちいずれか１項に記載の棚板であって、
前記少なくとも１枚の板体は２枚の板体を含み、
前記２枚の板体は、
前記棚本体部及び前記ストッパー部を有する主板体と、
前記支持部を有し、前記棚本体部の前記上面及び前記下面のうち少なくとも一方に貼着された支持板とで構成される
棚板。
【請求項１５】
端部領域を有する少なくとも１枚の板体を含む棚板と、前記棚板を懸架する両側板と、背板とを備える陳列棚であって、
前記棚板は、
上面と、前記上面の反対側の下面とを有する棚本体部と、
前記棚本体部の前端部に設けられ、前記上面側及び前記下面側の両側で前記棚本体部から起立するように、前記板体の端部領域が折られて形成されたストッパー部と、
前記上面及び前記下面のうち少なくとも一方に設けられ、前記ストッパー部を支持する支持部と、
前記棚本体部の両側端部にそれぞれ設けられ、前記両側板に係止可能な一対の係止部と
を備える陳列棚。
【請求項１６】
請求項１５に記載の陳列棚であって、
前記背板は、上下方向に設けられた折り畳み線を有し、
前記陳列棚は、前記背板の折り畳み線で折り畳み可能に構成されている
陳列棚。
【請求項１７】
請求項１５または１６に記載の陳列棚であって、
前記少なくとも１枚の板体は２枚の板体を含み、
前記２枚の板体は、
前記棚本体部を有する主板体と、
前記支持部を有する支持板とで構成され、
前記支持板は、
前記棚本体部の前記上面または前記下面のうち少なくとも一方に貼着された貼着部と、
前記貼着部に、折り畳み線を介して回動可能に設けられた回動部とを有する
陳列棚。
【発明の詳細な説明】
【技術分野】
【０００１】
本発明は、食品等の商品を陳列する陳列棚及びこれに用いられる棚板に関する。
【背景技術】
【０００２】
商品を陳列する陳列棚として、特許文献１には、折り畳み自在な陳列台が開示されている。この陳列台は、後側壁及び左右両側壁からなる上下の構成部分と、架設板の上面に棚板が載置されて構成される棚板部分とを備える。後側壁及び棚板部分（架設板）に中央折線がそれぞれ設けられており、これらの中央折線でこれらの板が折れることにより、陳列台が折り畳まれる（例えば、特許文献１の明細書第５ページ及び第６図参照）。
【０００３】
特許文献２には、棚板の正面から商品が落下することを防止するために、その棚板を構成する短面板の正面に、折立面及び傾斜面で構成された隆起部が設けられた差込棚が開示されている（例えば、特許文献２の明細書段落［０００６］、［０００７］及び図１参照）。
【先行技術文献】
【特許文献】
【０００４】
【特許文献１】実開昭６２−１４１３７１号公報
【特許文献２】特開２００１−４６１９５号公報
【発明の概要】
【発明が解決しようとする課題】
【０００５】
ところで、商品の落下防止用の部位を形成するために、特許文献２の明細書段落［０００６］にも記載されているように、傾斜面を有する隆起部を形成すると、隆起部の領域分の長さが手前側（正面側）に突き出て、その領域が無駄になる。
【０００６】
そこで、傾斜面を形成しないように、実質的に垂直に起立した面を形成するように板を折ることが考えられる。しかし、単純に、板を例えば複数回折って起立した部位（ストッパー）を形成したとしても、板には、元の板の状態に戻ろうとする力が働くので、その起立状態を維持することは難しい。
【０００７】
本発明の目的は、傾斜面等の無駄な領域を形成することなく、ストッパー部の起立状態を維持することができる棚板及びこれを含む陳列棚を提供することにある。
【課題を解決するための手段】
【０００８】
上記目的を達成するため、本発明に係る棚板は、端部領域を有する少なくとも１枚の板体を備える棚板であって、棚本体部と、ストッパー部と、支持部とを備える。
前記棚本体部は、上面と、前記上面の反対側の下面とを有する。
前記ストッパー部は、前記棚本体部の端部に設けられ、前記上面側及び前記下面側の両側で前記棚本体部から起立するように、前記板体の端部領域が折られて形成される。
前記支持部は、前記上面及び前記下面のうち少なくとも一方に設けられ、前記ストッパー部を支持する。
【０００９】
棚本体部の上面及び下面から両方向に起立するストッパー部が設けられることにより、上面及び下面のうち少なくとも一方に、そのストッパー部を支持する支持部を設けることができる。ストッパー部が支持部により支持されるので、無駄な領域を形成することなく、ストッパー部の起立状態を維持することができる。
【００１０】
前記板体は、前記端部領域の縁から所定の距離に設けられた折線で前記板体が折られて形成された、前記ストッパー部を構成する板部本体を有してもよい。前記板部本体は、突起部を有し、前記突起部は、前記折線が不連続に形成されるように、前記折線の位置から前記棚本体部側へ前記板体を切り欠く切り込み線で区画された突出領域である。このように、突出領域を形成して折線で板体を折ることにより、ストッパー部を起立させることができる。
【００１１】
前記ストッパー部は、前記板部本体を覆うように前記板部本体の正面に貼着されたカバー板部を有してもよい。折線で板部本体が起立することにより、板部本体の裏面側が正面に向くような場合、カバー板部をその板部本体の正面に貼着することにより、見栄えを良くし、デザイン性を向上させることができる。また、ストッパー部を、板部本体及びカバー板部の２重構造（２枚板構造）とすることができ、ストッパー部の強度を高めることができる。
【００１２】
前記支持部は、前記突起部に当接して前記ストッパー部を支持してもよい。
【００１３】
前記板体は、第１の板部と、第２の板部とを有してもよい。
前記第１の板部は、前記端部領域の縁から第１の距離の位置に設けられた第１の折線で前記板体が折られて形成されてもよい。
前記第２の板部は、前記第１の折線から前記第１の距離より短い第２の距離の位置に設けられた第２の折線で折られることで、前記第１の板部及び棚本体部との間に形成されてもよい。
前記ストッパー部は、前記第１の板部及び前記第２の板部が貼着されて構成される部位を有してもよい。
【００１４】
これにより、棚本体部の上面から及び下面から両方向に起立したストッパー部を形成することができる。また、ストッパー部のうち、第１の板部及び第２の板部が貼着されて構成される部位は、少なくとも２重構造（２枚板構造）を構成するので、その部位の強度が高められる。
【００１５】
前記ストッパー部は、前記第２の板部に設けられた突起部を有してもよい。前記突起部は、前記第２の折線が不連続に形成されるように、前記第２の折線の位置から前記棚本体部側へ前記板体を切り欠く切り込み線で区画された突出領域である。
【００１６】
これにより、第１の板部及び第２の板部が貼着されて構成される部位の他、第１の板部と突起部とが重なる部位でも、少なくとも２枚板構造を構成することができ、ストッパー部の強度を高めることができる。
【００１７】
前記支持部は、前記突起部及び前記第１の板部のうち少なくとも一方に当接して前記ストッパー部を支持してもよい。
【００１８】
あるいは、前記支持部は、前記突起部及び前記第１の板部に当接するようにステップ形状を有する。すなわちこの支持部は、突起部及び第１の板部の凹凸に係合するような機能を有するので、ストッパー部の起立状態の安定性を高めることができる。
【００１９】
前記第１の板部は、前記端部領域の縁から前記板体の複数箇所が切り欠かれて形成された突起部を有してもよい。前記第１の板部及び前記第２の板部が貼着された状態で、前記第１の板部の突起部は、少なくとも前記第２の板部から延設された突起部を覆うように設けられてもよい。
【００２０】
このように第１の板部の突起部により、第１及び第２の板部が貼着されて構成される部位が、棚本体部の上面側で起立するように、ストッパー部が構成されてもよいし、下面側で起立するようにストッパー部が構成されてもよい。すなわち、前記ストッパー部のうち、前記第１及び前記第２の板部が貼着されて構成される部位が、前記棚本体部の前記上面側で起立し、前記突起部同士が貼着されて構成される部位が、前記棚本体部の前記下面側で起立してもよいし、あるいは、その逆であってもよい。
【００２１】
前記少なくとも１枚の板体は２枚の板体を含み、前記２枚の板体は、前記棚本体部を有する主板体と、前記ストッパー部を構成し、前記主板体の端部に貼着されたストッパー板体とで構成されてもよい。
【００２２】
前記少なくとも１枚の板体は、前記支持部を有する支持板をさらに含み、前記支持板は、前記棚本体部の前記上面及び前記下面のうち少なくとも一方に貼着されていてもよい。
【００２３】
前記少なくとも１枚の板体は、前記棚本体部を有する第１の段ボール紙を含み、前記第１の段ボール紙は、前記第１及び前記第２の折線に沿う第１の方向の段目を有してもよい。これにより、第１の段ボール紙が前後方向（奥行方向）で折れにくくなる。
【００２４】
前記少なくとも１枚の板体は、前記ストッパー部を構成する第２の段ボール紙をさらに含み、前記第２の段ボール紙は、前記第１の方向に直交する第２の方向の段目を有し、前記第１の段ボール紙の端部に貼着されていてもよい。
【００２５】
第１の段ボール紙と別体で第２の段ボール紙がストッパー部として設けられることにより、ストッパー部が左右方向（幅方向）で折れにくくなり、ストッパー部による商品の落下防止の機能を高めることができる。
【００２６】
前記少なくとも１枚の板体は２枚の板体を含み、前記２枚の板体は、前記棚本体部及び前記ストッパー部を有する主板体と、前記支持部を有し、前記棚本体部の前記上面及び前記下面のうち少なくとも一方に貼着された支持板とで構成されていてもよい。
【００２７】
本発明に係る陳列棚は、端部領域を有する少なくとも１枚の板体を含む棚板と、前記棚板を懸架する両側板と、背板とを備える陳列棚であって、前記棚板は、棚本体部と、ストッパー部と、支持部と、一対の係止部とを備える。
前記棚本体部は、上面と、前記上面の反対側の下面とを有する。
前記ストッパー部は、前記棚本体部の前端部に設けられ、前記上面側及び前記下面側の両側で前記棚本体部から起立するように、前記板体の端部領域が折られて形成される。
前記支持部は、前記上面及び前記下面のうち少なくとも一方に設けられ、前記ストッパー部を支持する。
前記一対の係止部は、前記棚本体部の両側端部にそれぞれ設けられ、前記両側板に係止可能である。
【００２８】
前記背板は、上下方向に設けられた折り畳み線を有し、前記陳列棚は、前記背板の折り畳み線で折り畳み可能に構成されてもよい。
【００２９】
前記少なくとも１枚の板体は２枚の板体を含み、前記２枚の板体は、前記棚本体部を有する主板体と、前記支持部を有する支持板とで構成されてもよい。また、前記支持板は、前記棚本体部の前記上面または前記下面のうち少なくとも一方に貼着された貼着部と、前記貼着部に、折り畳み線を介して回動可能に設けられた回動部とを有してもよい。
【発明の効果】
【００３０】
以上、本発明によれば、傾斜面等の無駄な領域を形成することなく、ストッパー部の起立状態を維持することができる棚板及びこれを含む陳列棚を提供することにある。
【図面の簡単な説明】
【００３１】
【図１】図１は、本発明の第１の実施形態に係る陳列棚を示す斜視図である。
【図２】図２Ａ〜Ｃは、左側板、背板及び右側板を示す展開図である。
【図３】図３は、棚板を示す斜視図である。
【図４】図４は、棚板を下面側から見た平面図である。
【図５】図５は、この棚板のストッパー部を内側から見た斜視図である。
【図６】図６は、図４におけるＡ−Ａ線断面図である。
【図７】図７Ａ及びＢは、この棚板を分解及び展開して示す展開図である。
【図８】図８は、図７Ａ及びＢに示した支持板と主板体とを貼着した状態を示す平面図である。
【図９】図９は、後述するように陳列棚が小売店に納品される時に、陳列棚内に収納される時の棚板の平面図である。
【図１０】図１０は、図９に示す棚板の状態から、支持板の回動部が主板体に対して所定の角度開いた状態を示す正面図である。
【図１１】図１１は、陳列棚の組立動作を説明するための図である。
【図１２】図１２は、本発明の第２の実施形態に係る陳列棚を示す斜視図である。
【図１３】図１３Ａは、棚本体部を有する主板体を示す展開図である。図１３Ｂは、ストッパー部を構成するストッパー板体を示す展開図である。
【図１４】図１４は、支持部を有する支持板を示す展開図である。
【図１５】図１５Ａは、主板体とストッパー板部とが貼着された状態を示す。図１５Ｂは、ストッパー板体が接続された主板体を示す平面図である。
【図１６】図１６は、ストッパー板部が接続された主板体と、支持板とを下側から見た斜視図である。
【図１７】図１７は、支持板の本体部及び仕切部が、棚本体部に対して所定角度になるように位置した状態を示す。
【図１８】図１８は、陳列棚の組立動作を説明するための図である。
【図１９】図１９は、本発明の第３の実施形態に係る棚板を示す展開図である。
【図２０】図２０は、本発明の第４の実施形態に係る棚板の一部を示し、そのストッパー部の展開図である。
【図２１】図２１は、本発明の第５の実施形態に係る棚板の一部を示し、そのストッパー部の展開図である。
【図２２】図２２は、突起部を持たない、単純な横長の矩形状のストッパー部を備えた棚板の一部を示す側面図である。
【発明を実施するための形態】
【００３２】
以下、図面を参照しながら、本発明の実施形態を説明する。
【００３３】
１．第１の実施形態
（１）陳列棚の全体構成
【００３４】
図１は、本発明の第１の実施形態に係る陳列棚を示す斜視図である。本明細書の説明の便宜上、陳列棚１００の向きを次のように定義する。ｘ方向が陳列棚１００の左右方向（幅方向）であり、ｙ方向が奥行方向である。また、ｚ方向が上下方向（高さ方向）である。ｙ方向の手前側が陳列棚１００の正面側であり、その反対側が背面側である。ｘ方向の手前側が右側であり、その反対側が左側である。
【００３５】
陳列棚１００は、背板１０と、背板１０に対し直角となるように背板１０の左側に接続された左側板３０ａと、背板１０に対し直角となるように背板１０の右側に接続された右側板３０ｂとを備える。また、陳列棚１００は、左側板３０ａ及び右側板３０ｂの間に懸架された複数の棚板５０と、底部に配置された底板２０とを備える。陳列棚１００の使用時、各棚板５０の上面には、図示しない商品が陳列されて展示される。商品は、例えば食品や化粧品等である。
【００３６】
陳列棚１００の正面側の下部には、商品のストック室２５が設けられており、上記底板２０上に商品が載置されてストックされる。ストック室２５には開閉可能なカバー板２１が設けられている。例えばカバー板２１の左端部が、左側板３０ａに貼着され、カバー板２１の右端部に設けられた係止フラップ２２が、右側板３０ｂの下部の前端に設けられたフラップ挿入部２３に挿入されることにより、カバー板２１が閉じられる。
【００３７】
ここで、本明細書において「貼着」とは、典型的には接着剤による接着のことを指すが、そのほか、ビス、ピン、ホッチキス、またはその他の接続手段を使って両者が貼り付けられることも含む。
【００３８】
背板１０、左側板３０ａ、右側板３０ｂ、棚板５０、底板２０及びカバー板２１は、例えば、段ボール紙で構成されている。陳列棚１００は、後述するように、その全体が扁平に折り畳み可能に構成されている。
【００３９】
（２）背板、左側板及び右側板の構成
次に、背板１０、左側板３０ａ及び右側板３０ｂの構成を説明する。
【００４０】
図２は、左側板３０ａ、背板１０及び右側板３０ｂの展開図である。図２Ａは、左側板３０ａの展開図である。図２Ｂは、背板１０の正面側からみた展開図である。図２Ｃは、右側板３０ｂの展開図である。図２中、破線は山折りを示し、一点鎖線は谷折りを示す。
【００４１】
背板１０の左右方向の中央には、図２Ｂに示すように、上下方向に沿う折り畳み線１１が形成されている。背板１０の上部（組立時の左側板３０ａ及び右側板３０ｂの上端と同一の位置）には、左右方向に沿う２本の上部折線１２ａ及び１２ｂが形成されている。
【００４２】
背板１０の上部からは、ポケット形成穴１０ａ’を囲むように、左右で対称形状のポケット形成フラップ部１３ａ及び１３ｂが延設されている。この背板１０を、上部折線１２ａで直角に折り、さらにもう１つの上部折線１２ｂで直角に折り、これらポケット形成フラップ部１３ａ及び１３ｂを背板１０の裏面に貼着されることにより、図１に示すポケット１０ａが形成される。このポケット１０ａには、図示しない別の段ボール紙等の部材が挿入されるようになっている。
【００４３】
図２Ａに示すように、左側板３０ａの左右方向の中央には、上下方向に沿う２本の中央折線３１ａ及び３２ａが形成されている。中央折線３１ａで直角に折り、中央折線３２ａでさらに直角に折ることにより、内側面３３ａと外側面３４ａが対向する。
【００４４】
左側板３０ａの左部には、上下方向に沿う２本の左部折線３５ａ及び３６ａが形成されている。左部折線３５ａで直角に折り、左部折線３６ａでさらに直角に折り、左部折線３６ａよりも左側の貼着部３７ａを内側面３３ａの裏面に貼着する。
【００４５】
左側板３０ａの左右方向の中央上部には、右斜め上に沿う２本の斜折線３８ａ及び３９ａが形成されている。斜折線３８ａで直角に折り、斜折線３９ａでさらに直角に折り、斜折線３９ａよりも上側の貼着部４０ａを外側面３４ａの裏面に接着剤等により接着する。
【００４６】
左側板３０ａの右上部には、左右方向に沿う２本の右上折線４１ａ及び４２ａが形成されている。右上折線４１ａで直角に折り、右上折線４２ａでさらに直角に折り、右上折線４２ａよりも上側の貼着部４３ａを外側面３４ａの裏面に貼着する。
【００４７】
左側板３０ａの右部には、上下方向に沿う右部折線４４ａが形成されている。右部折線４４ａで直角に折り、右部折線４４ａよりも右側の貼着部４５ａを背板１０の背面に貼着する。
【００４８】
内側面３３ａには、左右方向に沿う複数のスリット４６ａが上下方向に所定間隔で形成されている。スリット４６ａには、棚板５０の左側係止フラップ５３が差し込まれ、内側面３３ａの裏面側に貼着されている。
【００４９】
右側板３０ｂには、中央折線３１ｂ、３２ｂ、右部折線３５ｂ、３６ｂ、斜折線３８ｂ、３９ｂ、左上折線４１ｂ、４２ｂ、貼着部４３ｂ、４５ｂ、内側面３３ｂ、外側面３４ｂ、左部折線４４ｂ及びスリット４６ｂが設けられている。スリット４６ｂには、棚板５０の右側係止フラップ５２が差し込まれ、内側面３３ｂの裏面側に貼着されている。これらの各部分の配置、形状及び機能は、上記左側板３０ａの各部分の配置、形状及び機能と同じであり、その説明を省略する。
【００５０】
右側係止フラップ５２及び左側係止フラップ５３は、両側板３０ａ及び３０ｂに係止可能な一対の係止部として機能する。
【００５１】
右側板３０ｂの中央折線３１ｂ及び３２ｂの下部には、フラップ挿入部２３（図１参照）を形成するための切り込み線２３ｂ及び挿入穴２３ｃが設けられている。切り込み線２３ｂで囲まれる部分は、折線４７ｂで直角に折られることにより、内側面３３ｂ及び外側面３４ｂの間に収められ、これにより、フラップ挿入部２３が形成される。
【００５２】
（３）棚板の構成
次に、棚板５０の構成を説明する。
【００５３】
図３は、棚板５０を示す斜視図である。図４は、棚板５０を裏側、つまり下面５５ｂ側から見た平面図である。図５は、この棚板５０のストッパー部７０を内側から見た斜視図である。図６は、図４におけるＡ−Ａ線断面図である。
【００５４】
棚板５０は、上面５５ａ及びその反対側の下面５５ｂを有する棚本体部５５と、この棚本体部５５の前端部に設けられたストッパー部７０と、棚本体部５５の下面５５ｂ側に設けられ、ストッパー部７０に当接してこれを支持する支持部６５（図４参照）とを備える。
【００５５】
図７Ａ及びＢは、この棚板５０を分解及び展開して示す展開図である。具体的には、図７Ａは、支持部６５を含む支持板６０の展開図を示し、図７Ｂは、棚本体部５５とストッパー部７０とを含む主板体５１の展開図を示す。
【００５６】
図４に示すように、主板体５１の下面５５ｂに支持板６０の一部が貼着されている。
【００５７】
ストッパー部７０は、棚本体部５５の上面５５ａ側及び下面５５ｂ側の両側で、棚本体部５５から起立するように、主板体５１の前端領域（図７Ａに示す端部領域５９）が複数回折られて形成される。ストッパー部７０は、棚本体部５５に載置された図示しない商品の落下を防止する機能を有する。
【００５８】
図７Ｂに示すように、主板体５１は、上記のようにストッパー部７０を形成するための端部領域５９を有する。主板体５１は、端部領域５９の縁から距離ａの位置に設けられた外側折線（第１の折線）７３と、この外側折線７３から、上記距離ａより短い距離ｂの位置に設けられた内側折線（第２の折線）７４とを有する。
【００５９】
なお、外側折線７３は平行な２本の折線７３ａ及び７３ｂで構成されており、距離ｂは、折線７３ａ及び７３ｂのうちいずれか一方からの距離であればよい。外側折線７３は、１本であってもよい。
【００６０】
端部領域５９のうち、縁から外側折線７３の位置までの第１の板部７１の表面がストッパーの外面となる。また、その折線７３の位置から内側折線７４の位置までの第２の板部７２の表面がストッパーの内面となる。
【００６１】
内側折線７４の位置から棚本体部５５側へ（つまりｙ方向の後側へ）この主板体５１を切り欠くように、切り込み線７５及び７７が設けられている。切り込み線７５は、左右方向で中央に設けられ、切り込み線７７は、例えば左右両端に２つ設けられる。内側折線７４が不連続に形成されるように、切り込み線７５及び７７で区画された突出領域７６’及び７８’が第２の板部７２に設けられている。
【００６２】
図４〜６に示すように、外側折線７３及び内側折線７４で主板体５１がそれぞれ９０度ずつ折られることにより、上記突出領域７６’及び７８’が下方へ突出する。これにより、第２の板部７２に、下方に突出する突起部７６及び７８が形成される。突起部７６（及び７８）と、第１の板部７１のうちこれら突起部７６（及び７８）に対応する同等の高さ分の領域とが、棚本体部５５の下面５５ｂから下方に向かって起立するようになる。
【００６３】
一方、それら以外の第１の板部７１の領域と、突起部７６及び７８以外の第２の板部７２とが棚本体部５５の上面５５ａから上方に向かって起立するようになる。これにより、ストッパー部７０は、棚本体部５５の上面５５ａ側及び下面５５ｂ側の両側で起立した状態となり得る。第１の板部７１及び第２の板部７２同士を貼着することにより、ストッパー部７０が形成される。
【００６４】
外側折線７３から切り込み線７５（及び７７）の最後部までの距離ｃは、距離ａと実質的に同一とされる。これにより、図５及び図６に示すように、ストッパー部７０が起立した状態では、突起部７６の下端７６ａが第１の板部７１の下端７１ａと同じ高さ位置となる。
【００６５】
主板体５１の左右方向の端部には、前後方向にわたって上記した右側係止フラップ５２が設けられている。右側係止フラップ５２は、折線５４を介して棚本体部５５から延設されている。
【００６６】
図７Ａに示すように、支持板６０は、中央部６１と、折り畳み線６４を介して中央部６１から右方向へ延設された延設部６３と、折線６７を介して中央部６１から左方向へ延設された上記左側係止フラップ５３とを有する。折り畳み線６４は不連続となっており、複数設けられる。概略台形状の切り込み線６２が左側へ切り欠くように設けられ、その台形領域６６が形成される。延設部６３及び台形領域６６により、主板体５１へ貼着される部分となる貼着部６８が構成される。一方、支持板６０のうち、貼着部６８以外の部分、つまり中央部６１及びこれから延設された左側係止フラップ５３により回動部６９が構成される。
【００６７】
支持板６０の中央部６１の前端部には、ストッパー部７０を支持する上記支持部６５を有する。支持部６５は、ステップ形状を有し、第１の部位６５ａと、この第１の部位６５ａより前側に突出した第２の部位６５ｂを有する。
【００６８】
中央部６１の後端部も、前端部と同様の形状を有しているが、後端部の形状は必ずしもこのように前端部と同じ形状でなくてもよい。
【００６９】
図８は、図７Ａ及びＢに示した支持板６０と主板体５１とを貼着した状態を示す平面図である。
【００７０】
図８に示すように、支持板６０の中央部６１の左側の縁と、主板体５１の左側の縁とが一致するように、かつ、支持部６５の第１の部位６５ａの縁が、主板体５１の内側折線７４に一致する（または、その内側折線７４より前側へ出る）ように、支持板６０の貼着部と主板体５１とが貼着される。この状態で、上記回動部６９は、折り畳み線６４を回転軸として主板体５１に対して実質的に１８０°回動可能となる。
【００７１】
（４）棚板の展開及び折り畳みの動作
図９は、後述するように陳列棚１００が小売店に納品される時に、陳列棚１００内に収納される時の棚板５０の平面図である。この状態では、ストッパー部７０は起立状態ではなく、折り畳まれた状態にある（しかし、第１の板部７１及び第２の板部７２は貼着されている）。
【００７２】
ここで、ストッパー部７０が起立した状態とは、ストッパー部７０が実質的に起立した状態であればよく、棚本体部５５の上面５５ａ（及び下面５５ｂ）に対して、例えば７０〜１１０°の角度で起立していればよい。支持板６０の支持部６５は、ストッパー部７０がそのような角度範囲で起立している時に、ストッパー部７０に当接して支持できればよい。
【００７３】
また、この図９に示す状態では、右側係止フラップ５２及び左側係止フラップ５３が対面するような位置に、回動部６９が位置している。
【００７４】
図１０は、図９に示す棚板５０の状態から、支持板６０の回動部６９が主板体５１に対して所定の角度開いた状態を示す正面図である。中央部６１が主板体５１に面接触するまで、左側係止フラップ５３及び右側係止フラップ５２を接近させると、主板体５１が起立状態となって棚板５０が折り畳まれる。これに対し、中央部６１及び主板体５１が水平となるまで、左側係止フラップ５３及び右側係止フラップ５２を離反させると、主板体５１が水平状態となって棚板５０が展開される。
【００７５】
図９に示すように、ストッパー部７０が起立していない状態では、突出領域７６’（突起部７６）の位置が支持板６０の位置より上側にある。この状態（上記のようにフラップ５２及び５３が離反して棚板５０が展開された状態も同様）において、ストッパー部７０を起立させようとする時、支持板６０の中央部６１の角領域（ハッチングで示す領域）Ｒが突起部７６と干渉する。したがって、この場合、ユーザは、この角領域Ｒをある程度下方へ多少折り曲げながら、ストッパー部７０を起立させて行き、ようにして突起部７６を下方へ突出させる。
【００７６】
（５）支持板の支持部の機能
図４及び５に示すように、支持部６５の第１の部位６５ａは、ストッパー部７０が起立した状態で、ストッパー部７０の第１の板部７１に当接する。
【００７７】
本実施形態では、ストッパー部７０が９０°の角度で起立した状態では、第２の部位６５ｂは、突起部７６及び７８に当接していない（図６参照）。しかし、ストッパー部７０が上記の起立状態の角度範囲内で傾くと、第２の部位６５ｂが突起部７６及び７８に当接して、ストッパー部７０を支持することができる。
【００７８】
第１の部位６５ａは、この第２の部位６５ｂのように、ストッパー部７０が９０°の起立状態から所定の角度傾いた状態で初めて当接することができるような形状やサイズ等に形成されていてもよい。あるいは第２の部位６５ｂが、第１の部位６５ａのようにストッパー部７０がほぼ９０°の起立状態で当接することができるような形状やサイズ等に形成されていてもよい。
【００７９】
このように、支持部６５は、突起部７６（７８）及び第１の板部７１の凹凸形状に沿うようなステップ形状を有し、その凹凸形状に係合するような機能を有するので、ストッパー部７０の起立状態の安定性を高めることができる。
【００８０】
（６）陳列棚の組立動作
図１１は、陳列棚１００の組立動作を説明するための図である。なお、図１１ではカバー板２１の図示を省略している。
【００８１】
陳列棚１００は、ドラッグストアやコンビニエンスストア等の小売店に扁平な折り畳み状態で納品される。陳列棚１００が扁平な折り畳み状態にある時、棚板５０も扁平な折り畳み状態にある。この時、棚板５０は、図１０に示すように扁平な折り畳み状態にある。
【００８２】
図１１に示すように、陳列棚１００の扁平な折り畳み状態から、ユーザは、左側板３０ａ及び右側板３０ｂを離反する方向に広げる。そうすると、背板１０は、折り畳み線１１で折れていた状態から平面の状態に展開され、また、棚板５０は、回動部６９が展開されることにより、起立状態から水平状態になる。このように、ユーザは１ステップで陳列棚１００を展開することができ、組立が容易となる。
【００８３】
この後、ユーザは、棚板５０のストッパー部７０を起立させる。これにより、陳列棚１００は図１に示すように組立完成の状態となる。陳列棚１００の組み立てが完了すると、各棚板５０に所望の商品を陳列することができる。
【００８４】
（７）まとめ
本実施形態に係る棚板５０は、ストッパー部７０を備えるので、棚板５０の上に載置された商品の落下が防止される。また、支持板６０の回動部６９が１８０°回動可能となっているので、扁平な折り畳み状態から左側板３０ａ及び右側板３０ｂを広げる過程で、自動的に棚板５０が展開される。これにより、陳列棚１００の組立の工程数を少なくすることができ、簡単に組み立てることができる。
【００８５】
本実施形態に係るストッパー部７０は、棚本体部５５の上面５５ａ及び下面５５ｂから両方向に起立する構造を有する。このようにストッパー部７０は外側折線７３及び内側折線７４で折られて構成されてはいるが、板には元の板の状態に戻ろうとする力が働く。本実施形態の場合、ストッパー部７０が前側へ倒れるような力が働く。しかしながら、棚本体部５５の下面５５ｂ側にストッパー部７０を支持する支持部６５が設けられているので、ストッパー部７０の起立状態を維持することができる。これにより、商品の落下防止の機能を向上させることができる。また、ストッパー部７０の起立状態を維持できるので、上記の特許文献２のように傾斜面等の無駄な領域を形成することもない。
【００８６】
また、ストッパー部７０の起立状態を維持することができることから、仮に支持部６５がなく、斜めに倒れているストッパー部に比べ、見栄えを良くすることができ、デザイン性を高めることができる。
【００８７】
本実施形態では、主板体５１の下部側に支持板６０が設けられることにより、棚本体部５５が２重構造となり、棚板５０の耐荷重性を向上させることができる。すなわち、支持板６０は、上記のストッパー部７０の支持機能と、棚本体部５５の強度を高める機能の両方を備えることができる。
【００８８】
本実施形態では、主板体５１の端部領域５９が、切り込み線７５及び７７により形成された領域７６’及び７８’を有する。つまり、ストッパー部７０が下方へ突出する突起部７６及び７８を有する。したがって、第１の板部７１及び第２の板部７２が貼着された部位だけでなく、第１の板部７１と突起部７６（７８）とが重なる部位でも、少なくとも２枚板構造を構成することができ、ストッパー部７０の強度を高めることができる。
【００８９】
本実施形態に係るストッパー部７０は、正面の最も手前に配置され、ストッパー部７０が起立した状態では、その存在感がは比較的大きく、目立つ。しかし、ユーザによってはその存在感を抑えたいと考えるユーザもいる。本実施形態に係る第１の板部７１は横長のシンプルな矩形状を有するので、例えば、ストッパー部７０を含む陳列棚１００全体に、統一された模様や色彩が施されることにより、ストッパー部７０の存在感を弱めることができる。また、ストッパー部７０を含む陳列棚１００全体のデザイン性、特にシンプルさを強調することができる。
【００９０】
２．第２の実施形態
【００９１】
図１２は、本発明の第２の実施形態に係る陳列棚２００を示す斜視図である。これ以降の説明では、上記第１の実施形態に係る陳列棚１００及び棚板５０が含む部材や機能等について同様のものは説明を簡略化または省略し、異なる点を中心に説明する。
【００９２】
（１）陳列棚の全体構成
この陳列棚２００は、第１の実施形態に係る棚板５０と異なる形態の複数の棚板１５０を備える。
【００９３】
また、陳列棚２００の左側板１３０ａのスリット１４６ａは、上記第１の実施形態に係る左側板３０ａのスリット４６ａの形状と異なる形状を有する。このスリット１４６ａには、棚板１５０の左側係止フラップ１５３（後述）が挿入されて貼着されている。具体的には、スリット１４６ａは、前後方向のほぼ中央に設けられた、上方向に切り欠かれた切り欠き部１４９を有する。この切り欠き部１４９は半円上を有しているが、その他の形状であってもよい。
【００９４】
右側板１３０ｂのスリットも、図示しないが、スリット１４６ａと同様に上方向に切り欠かれた半円上の切り欠き部を有し、棚板１５０の右側係止フラップ１５２（後述）が挿入されて貼着されている。
【００９５】
（２）棚板における主板体及びストッパー板体の構成
図１３Ａ、Ｂ及び図１４は、１つの棚板１５０を分解及び展開して示す展開図である。
【００９６】
この棚板１５０は、棚本体部１５５を有する主板体１５１（図１３Ａ参照）、ストッパー部１７０を構成するストッパー板体１７０’（図１３Ｂ参照）、及び支持部１６５を有する支持板１６０（図１４参照）の、３枚の板で構成される。
【００９７】
図１３Ａに示すように、主板体１５１は、前後方向に形成された主折線１５７を介して左右方向に設けられた上面部１５５ａ及び下面部１５５ｂを有する。上面部１５５ａの後端部には、前後方向に沿う折線１５６を介して、当接フラップ１５５ｃが延設されている。当接フラップ１５５ｃは、図１２に示すように、背板１０の内面に当接する。下面部１５５ｂの左端部からは、前後方向に沿う折線１５４を介して右側係止フラップ１５２が延設されている。
【００９８】
主折線１５７は、前後方向でほぼ中央に設けられた指入れ穴１５８を介して不連続に形成されている。指入れ穴１５８は、例えば円形である。
【００９９】
上面部１５５ａの前後方向のほぼ中央及び左右方向のほぼ中央には、後述する仕切部１６１の下端が係合する係合穴１５９が設けられている。係合穴１５９は、例えばスリット状に形成されている。
【０１００】
主板体１５１は、符号Ｋで示すように、その左右方向（第１の方向）に沿う段目を有する段ボール紙（第１の段ボール紙）である。
【０１０１】
図１３Ｂに示すように、ストッパー板体１７０’は、第１の板部１７１、第２の板部１７２及び貼着部１７９を備える。具体的には、ストッパー板体１７０’の前端部から距離ａの位置に左右方向に沿う外側折線１７３（例えば２本）が形成され、その外側折線１７３から距離ａより短い距離ｂの位置に、左右方向に沿う内側折線１７４が形成されている。距離ｃは距離ａと実質的に同じである。
【０１０２】
図１６は、ストッパー板体１７０’（ストッパー部１７０）が接続された主板体１５１と、支持板１６０とを下側から見た斜視図である。ストッパー部１７０が起立状態の時、図１３Ｂに示す切り込み線１７５により区画形成される突出領域１７６’が、下方に突出する突起部１７６となる。同様に、左右両端部において、切り込み線１７７により形成される突出領域１７８’が、下方に突出する突起部１７８となる。
【０１０３】
図１３Ｂを参照して、ストッパー板体１７０’は、符号Ｌで示すように、前後方向（上記第１の方向に直交する第２の方向）に沿う段目を有する段ボール紙（第２の段ボール紙）である。
【０１０４】
図１５Ａは、主板体１５１とストッパー板体１７０’とが貼着された状態を示し、ここでは、主板体１５１の裏面側を示す（図１３Ａに示した主板体１５１を裏面側から示す）。また、図１５Ａでは、ストッパー板体１７０’の第１の板部１７１と第２の板部１７２とが貼着された状態を示している。
【０１０５】
ストッパー板体１７０’の貼着部１７９が、主板体１５１の下面部１５５ｂの前端部に貼着される。この後、図１５Ｂに示すように、主板体１５１の上面部１５５ａ及び下面部１５５ｂを主折線１５７で折ることにより、主板体１５１の上面部１５５ａの前端部がその貼着部１７９を覆う。つまり上面部１５５ａ及び下面部１５５ｂが貼着部１７９を挟み込むようにして、貼着部１７９が主板体１５１に貼着される。
【０１０６】
この状態から、ストッパー板体１７０’の各折線１７３及び１７４で９０°の角度にこのストッパー板体１７０’を折ることにより、ストッパー部１７０を起立させることができる（図１６の上図を参照）。図１５Ａに示すように、上面部１５５ａの前端部には、切り欠き１４６及び１４８が形成されている。ストッパー部１７０を起立させる時、突起部１７６及び１７８が、これら切り欠き１４６及び１４８内を通って、下面部１５５ｂ側で起立する。
【０１０７】
（３）棚板における支持板の構成
図１４に示すように、支持板１６０は、本体部１６６と、一対の仕切板部１６１ａ及び１６１ｂとを備える。仕切板部１６１ａは、前後方向に沿う中央折線１６８を介して本体部１６６から延設されている。一対の仕切板部１６１ａ及び１６１ｂは、左右方向に沿う折線１６２を介して前後方向に配置されている。
【０１０８】
本体部１６６の少なくとも前端部には、ストッパー部１７０を支持する支持部１６５が設けられている。支持部１６５は、ストッパー部１７０の第１の板部１７１の裏面を支持する第１の部位１６５ａと、ストッパー部１７０の突起部１７６（及び１７８）を支持する第２の部位１６５ｂとを有する。第１の部位１６５ａが、第２の部位１６５ｂから前側へ突出するように設けられている。本実施形態では、本体部１６６の後端部も前端部と実質的に同一の形状を有するが、同一でなくてもよい。
【０１０９】
本体部１６６から折線１６４を介して左側係止フラップ１５３が延設されている。折線１６４は、指入れ穴１６６ａによって不連続に複数形成されている。
【０１１０】
仕切板部１６１ｂから、左側に突出して設けられた貼着部１６３が延設されている。仕切板部１６１ａ及び１６１ｂの右端には、係合突起１６９がそれぞれ設けられている。
【０１１１】
支持板１６０も段ボール紙で構成される。その段目は、典型的には図１４中、縦方向（前後方向）とされるが、横方向（左右方向）であってもよい。
【０１１２】
折線１６２によって仕切板部１６１ａ及び１６１ｂが１８０°折られて貼着され、かつ、中央折線１６８によって一対の仕切板部１６１ａ及び１６１ｂと本体部１６６とが９０°折られる。これにより、図１６の下図に示すような形態の支持板１６０が形成される。
【０１１３】
図１６に示すように、例えばストッパー部１７０が立設した状態の棚本体部１５５の下面５５ｂに、支持板１６０の貼着部１６３（の上面）が貼着されることにより、図１２に示した棚板１５０が完成する。
【０１１４】
支持板１６０の一対の仕切板部１６１ａ及び１６１ｂは、仕切部１６１を構成する。支持部１６５の第１の部位１６５ａは、上述したようにストッパー部１７０の第１の板部１７１を支持し、第２の部位１６５ｂは、突起部１７６及び１７８を支持する。これにより、特許文献２のように傾斜面等の無駄な領域を形成することなく、ストッパー部１７０の起立状態を維持することができる。
【０１１５】
図１７は、支持板１６０の本体部１６６及び仕切部１６１が、棚本体部１５５に対して所定角度になるように位置した状態を示す。支持板１６０は、その貼着部１６３によってのみ棚本体部１５５に貼着されている。したがって、このように、本体部１６６及び仕切部１６１の両方が、棚本体部１５５に対して実質的に１８０°それぞれ回動可能である。
【０１１６】
（４）棚板の展開及び折り畳みの動作
支持板１６０の本体部１６６と仕切部１６１（仕切板部１６１ａ）とが面接触するまで、かつ、仕切部１６１（仕切板部１６１ｂ）と主板体１５１とが面接触するまで、左側係止フラップ１５３及び右側係止フラップ１５２を接近させる。そうすると、主板体１５１が起立状態となって棚板１５０が折り畳まれる。
【０１１７】
これに対し、支持板１６０の本体部１６６及び主板体１５１が水平となるまで、左側係止フラップ１５３及び右側係止フラップ１５２を離反させると、主板体１５１が水平状態となって棚板１５０が展開される。このように主板体１５１が水平状態となって棚板１５０が展開された状態においても、仕切部１６１は実質的に１８０°回動可能な状態にある。
【０１１８】
（５）陳列棚の組立動作
図１８は、陳列棚２００の組立動作を説明するための図である。なお、図１８ではカバー板２１の図示を省略している。
【０１１９】
陳列棚２００の扁平な折り畳み状態から、ユーザは、左側板１３０ａ及び右側板１３０ｂを離反する方向に広げる。そうすると、背板１０は、折り畳み線１１で折れていた状態から平面の状態に展開され、また、図１７を参照しながら説明したように、棚板１５０は、棚本体部１５５、本体部１６６及び仕切部１６１が展開されることにより、起立状態から水平状態になる。
【０１２０】
ここで、説明の便宜上、例えば最上位置にある棚板１５０を第１の棚板とし、その下の棚板１５０を第２の棚板とする。
【０１２１】
本体部１６６及び仕切部１６１の展開途中では、第２の棚板の棚本体部１５５が、第１の棚体の本体部１６６及び仕切部１６１の間に入り込む。第１の棚板の本体部１６６と、第２の棚板の棚本体部１５５とが干渉しないように、本体部１６６の左右方向のほぼ中央に設けられた前後方向に沿う折線１６６ｂ（図１４も参照）で、本体部１６６が所定の角度に折られる。これにより、簡単に陳列棚２００を展開することができる。また、ユーザは１ステップで陳列棚２００を展開することができ、組立が容易となる。
【０１２２】
陳列棚２００が展開されると、第１の棚板の仕切部１６１の下端に設けられた係合突起１６９が、第２の棚板の棚本体部１５５の係合穴１５９に係合し、仕切部１６１の動きが規制される。
【０１２３】
この後、ユーザは、棚板１５０のストッパー部１７０を起立させる。これにより、陳列棚２００は、図１２に示すように組立完成の状態となる。陳列棚２００の組み立てが完了すると、各棚板１５０に所望の商品を陳列することができる。
【０１２４】
なお、図１６に示す棚板１５０では、棚本体部１５５に設けられた指入れ穴１５８と、支持板１６０に設けられた指入れ穴１６６ａとが重ね合わせられる。重ね合わせられた指入れ穴１５８及び１６６ａは、図１２に示すように、上記スリット１４６ａに形成された切り欠き部１４９に対して、９０°の角度で対面するように配置される。ユーザは、陳列棚２００を完成状態から折り畳む時に、指をこの指入れ穴１５８及び１６６ａに入れやすくなり、容易に陳列棚２００を折り畳むことが可能となる。
【０１２５】
（６）まとめ
本実施形態に係る第１の段ボール紙である主板体１５１は、上述のように左右方向に段目を有する。したがって、主板体１５１は、前後方向で折れにくくなる（前後方向に沿う折れ線が形成されににくなる）。例えば左右方向に商品を配列させる場合、その商品の荷重によって、主板体１５１が前後方向の線で折れることを抑制できる。
【０１２６】
特に、仕切部１６１で棚板１５０の上部空間が仕切られた場合、左右に商品を配列させることになるので、主板体１５１を前後方向の線で折れにくくすることのメリットは大きい。
【０１２７】
あるいは、前後及び左右の両方向で商品を配列させる場合であっても、主板体１５１が左右方向で折れる（左右方向で折れやすい線が形成される）ことを抑制できる。これは、棚本体部１５５の左右両端部には、前後方向に延設された右側係止フラップ１５２及び左側係止フラップ１５３が設けられ、これらが右側板１３０ｂ及び左側板１３０ａに実質的に固定されているからである。
【０１２８】
一方、第２の段ボール紙であるストッパー板体１７０’は、上述のように前後方向（あるいは上下方向）に段目を有する。したがって、ストッパー部１７０が左右方向の線で折れにくくなり（左右方向に沿う折れ線が形成されにくくなり）、ストッパー部１７０による商品の落下防止の機能を高めることができる。
【０１２９】
３．第３の実施形態
【０１３０】
図１９は、本発明の第３の実施形態に係る棚板を示す展開図である。
【０１３１】
この棚板２５０は、１枚の板で構成される。例えば、棚板２５０は、棚本体部２５５と、棚本体部２５５の端部に設けられたストッパー部２７０と、棚本体部２５５の後端部に連設された支持板部２６０とを備える。この１枚の板の端部領域２５９にストッパー部２７０が形成される。
【０１３２】
ストッパー部２７０の実質的な構成は、上記第１の実施形態に係るストッパー部１７０の構成と同様である。すなわち、端部領域２５９に、外側折線２７３及び不連続の内側折線２７４が、端部領域２５９の縁から所定の距離の位置にそれぞれ形成されている。
【０１３３】
支持板部２６０の左右方向の中央には、前後方向に沿う折り畳み線２６４が形成されている。折り畳み線２６４は、不連続となっている。支持板部２６０の左右方向の中央には、左方にこの板を切り欠く切り込み線２６２が形成され、これにより台形領域２６６を含む貼着部２６８が形成される。
【０１３４】
貼着部２６８と棚本体部２５５との間には、左右方向に沿う折線２５８が形成されている。折線２５８で１８０°に折ることにより、貼着部２６８と棚本体部２５５の下面２５５ｂとが合わせられ、貼着部２６８は棚本体部２５５に貼着される。
【０１３５】
支持板部２６０の折り畳み線２６４を挟んで左側の部分である回動部２６９と棚本体部２５５との間には、左右方向に沿う切り込み線２５９が形成されている。回動部２６９は、棚本体部２５５とは貼着されないので、折り畳み線２６４を回転軸として回動可能となる。
【０１３６】
支持板部２６０の端部には、折線２６３及び２８４を介して右側係止フラップ２５２及び左側係止フラップ２５３がそれぞれ設けられている。
【０１３７】
支持板部２６０は、その前端部に設けられた、ストッパー部２７０を支持する支持部２６５を有する。例えば、支持部２６５は、ストッパー部２７０の第１の板部２７１を支持する第１の部位２６５ａと、ストッパー部２７０の突起部２７６及び２７８を支持する第２の部位２６５ｂとを有する。
【０１３８】
以上のように構成された棚板２５０では、回動部２６９が棚本体部２５５に対して回動することができるので、ユーザは、図１０及び１１に示した動作と同様の動作で、棚板２５０を折り畳み及び展開することができる。
【０１３９】
本実施形態では、棚本体部２５５、ストッパー部２７０及び支持板部２６０が、１枚の板により構成されるので、棚板２５０の材料及び製造等のコストを抑えることができる。
【０１４０】
４．第４の実施形態
【０１４１】
図２０は、本発明の第４の実施形態に係る棚板の一部を示し、そのストッパー部の展開図である。
【０１４２】
このストッパー部３７０の第１の板部３７１は、端部領域３５９の縁から板体が複数箇所で切り欠かれて形成された突出領域３７６ａ及び３７８ａを有する。例えば、これらの突出領域３７６ａ及び３７８ａは、第２の板部３７２から延設された突出領域３７６ｂ及び３７８ｂの配置にそれぞれ対応する位置に配置される。すなわち、第１の板部３７１及び第２の板部３７２は、外側折線３７３を軸とした線対称形状を有する。
【０１４３】
第１の板部３７１及び第２の板部３７２が貼着された状態では、正面から見て、突出領域３７６ａ及び３７８ａが、突出領域３７６ｂ及び３７８ｂをそれぞれ覆い、重ね合わせられて貼着される。これにより、下方に突出する突起部３７６及び３７８が形成される。
【０１４４】
このように、ストッパー部３７０の形状は、上記各実施形態に係るストッパー部７０、１７０、２７０のように横長の矩形状に限られない。
【０１４５】
５．第５の実施形態
【０１４６】
上記の説明では、主板体の端部領域で２つの折線（第１及び第２の折線）を折ることによって、２重構造のストッパー部を形成する実施形態を示した。しかし、図２１に示す本発明の第５の実施形態に係る主板体５５１のように、主板体５５１の端部領域５５９を、不連続に形成された折線５７４で１回折ることにより、１枚構造の板部本体５７１で構成されたストッパー部５７０を形成することもできる。折線５７４は、端部領域５５９の縁から所定の距離の位置に設けられている。所定の距離は適宜設定される値であるが、典型的には、図７に示す距離ｂに設定され得る。
【０１４７】
折線５７４を不連続に形成するために、折線５７４の位置から棚本体部５５５側へ主板体５５１を切り欠く切り込み線５７５及び５７７が形成されている。これら切り込み線５７５及び５７７により区画された領域である突出領域５７６’及び５７８’が、下方に突出する突起部５７６及び５７８となる。すなわち、ストッパー部５７０のうち、突起部５７６及び５７８は、棚本体部５５５の下面側に起立する部分となる。
【０１４８】
図示しない支持部は、例えば棚本体部５５５の下面側に配置され、ストッパー部５７０のうち、上記突起部５７６及び５７８に当接してこのストッパー部５７０を支持する。支持部の形状は、突起部５７６及び５７８に当接することができれば、限定されるものではない。
【０１４９】
なお、支持部は、突起部５７６にのみ当接してもよいし、または、２つの突起部５７８にのみ当接してもよく、これら当接箇所は適宜設定され得る。
【０１５０】
この第５の実施形態に係る棚板の変形例として、図示しないが、例えば板部本体５７１の正面側に、独立した別の板材であるカバー板部が貼着されていてもよい。このカバー板部は、例えば図７Ｂに示した第１の板部７１の形状、または、図２０に示した第１の板部３７１の形状を有する。あるいは、他の形状であってもよい。
【０１５１】
折線５７４で板部本体５７１が起立することにより、板部本体５７１の裏面が正面側に向く。この場合、上記カバー板部をその板部本体５７１の正面側に貼着することにより、見栄えを良くし、デザイン性を向上させることができる。また、ストッパー部５７０を、板部本体５７１及びカバー板部の２重構造とすることができ、ストッパー部５７０の強度を高めることができる。
【０１５２】
６．その他の実施形態
【０１５３】
本発明は、以上説明した実施形態に限定されず、他の種々の実施形態を実現することができる。
【０１５４】
上記第１の実施形態では、ストッパー部７０の下部に突起部７６及び７８が設けられていたが、これは無くてもよい。このことは、第２以降の実施形態でも同様である。例えば図２２に示すように、板体の端部領域が、平行な複数の折線４７３及び４７４で折られることにより、単純な横長の矩形状のストッパー部４７０を形成することができる。棚本体部４５５の下部には、支持部４６５を有する支持板４６０が設けられている。なお、この形態の場合、棚本体部４５５の上面側で起立するストッパー部４７０は２枚構造でなるが、下面側で起立するストッパー部４７０は、１枚構造でなる。
【０１５５】
上記第１の実施形態では、ストッパー部７０の突起部７６（７８）は中央及び両端で３つ設けられる構成を示した。しかし、突起部は、１つでもよいし、２つ、あるいは４つ以上であってもよい。このことは、第２以降の実施形態でも同様である。
【０１５６】
突起部の上下方向の高さ及び左右方向の長さは、限定されない。また、突起部の左右方向における配置も限定されない。
【０１５７】
上記各実施形態では、支持板（または図１９に示した支持板部２６０）は、棚本体部の下面側に設けられていたが、棚板部の上面側に設けられていてもよいし、または、棚本体部の上面側及び下面側の両側にそれぞれ設けられていてもよい。例えば支持板（または支持板部）が棚本体部の上面側に設けられる場合、支持板も棚本体部の上面側に配置されていればよい。この場合、棚板の見栄えを良くするために、支持板の面積を主板体の上面の面積と実質的に同じ面積とし、その支持板全体が商品の載置部とされてもよい。
【０１５８】
上記各実施形態では、陳列棚あるいは棚板を構成する各板体は、段ボール紙で構成されていたが、それらのうち少なくとも１つの板体は、他の厚紙や、樹脂で構成されていてもよい。
【０１５９】
上記各実施形態に係るストッパー部は、展開図において前後方向で異なる位置に設けられた２つの折線（外側折線及び内側折線）で、板体が１回または２回折られることにより形成された。しかし、板体が３回、あるいは４回以上折られることにより、ストッパー部が形成されてもよい。
【０１６０】
例えば、図２０（及び２１）に示す実施形態に係るストッパー部３７０（及び５７０）の突起部３７６及び３７８（５７５及び５７８）が、棚本体部の上面側に起立するように、端部領域３５９（５５９）が折られてもよい。この場合、外側折線３７３を谷折り、内側折線３７４を山折り、折線５７４を山折りとする。これらの場合、これらの突起部３７６及び３７８（５７５及び５７８）が、少なくとも棚本体部の上面側に設けられた支持部により当接支持される。
【０１６１】
以上説明した各形態の特徴部分のうち、少なくとも２つの特徴部分を組み合わせることも可能である。例えば、第１〜３の実施形態に係るストッパー部を、第４の実施形態に係るストッパー部に置き換えてもよい。
【符号の説明】
【０１６２】
１０…背板
３０ａ、１３０ａ…左側板
３０ｂ、１３０ｂ…右側板
５０、１５０、２５０…棚板
５１、１５１、５５１…主板体
５２、１５２、２５２…右側係止フラップ
５３、１５３、２５３…左側係止フラップ
５５、１５５、２５５、４５５…棚本体部
５５ａ、１５５ａ、２５５ａ…上面（上面部）
５５ｂ、１５５ｂ、２５５ｂ…下面（下面部）
５９、２５９、３５９…端部領域
６０、１６０、２６０、４６０…支持板（支持板部）
６５、１６５、２６５、４６５…支持部
６８、１６３、２６８…貼着部
６９、２６９…回動部
７０、１７０、２７０、３７０、５７０…ストッパー部
７１、１７１、２７１、３７１…第１の板部
７２、１７２、２７２、３７２…第２の板部
７３、１７３、２７３、３７３、４７３…外側折線
７４、１７４、２７４、３７４、４７４…内側折線
７５、７７、１７５、１７７…切り込み線
７６、７８、１７６、１７８、２７６、２７８、３７６、３７８、５７６、５７８…突起部
１００、２００…陳列棚
１７０’…ストッパー板体
５７４…折線
【図１】
2015039402.tif 000003
【図２】
2015039402.tif 000004
【図３】
2015039402.tif 000005
【図４】
2015039402.tif 000006
【図５】
2015039402.tif 000007
【図６】
2015039402.tif 000008
【図７】
2015039402.tif 000009
【図８】
2015039402.tif 000010
【図９】
2015039402.tif 000011
【図１０】
2015039402.tif 000012
【図１１】
2015039402.tif 000013
【図１２】
2015039402.tif 000014
【図１３】
2015039402.tif 000015
【図１４】
2015039402.tif 000016
【図１５】
2015039402.tif 000017
【図１６】
2015039402.tif 000018
【図１７】
2015039402.tif 000019
【図１８】
2015039402.tif 000020
【図１９】
2015039402.tif 000021
【図２０】
2015039402.tif 000022
【図２１】
2015039402.tif 000023
【図２２】
2015039402.tif 000024